(57)【特許請求の範囲】
【請求項１】
宅内に設置される少なくとも１つの電気機器との間で無線通信可能であり、インターネットに接続されない親機と、前記親機との間で直接に無線通信可能である携帯電話端末と、を含む宅内監視システムであって、
前記携帯電話端末は、アプリケーションを起動する際、インターネットに接続されないアクセスポイントに対する無線接続を無効とする接続無効フラグをオフに設定し、
前記親機は、前記携帯電話端末と無線接続するための電波を出力し、
前記携帯電話端末は、前記アプリケーションの実行を終了する際、前記アプリケーションを起動する際に前記接続無効フラグをオフに設定した場合には、前記接続無効フラグをオンに設定する、宅内監視システム。
【請求項２】
請求項１に記載の宅内監視システムであって、
前記携帯電話端末は、前記電波の出力の停止指示を前記親機へ送信した後、前記接続無効フラグをオンにし、
前記親機は、前記電波の出力の停止指示を受信し、前記電波の出力を停止し、
前記携帯電話端末は、前記電波の出力の停止を検出後、無線接続先を他の通信装置に切り換える、宅内監視システム。
【発明の詳細な説明】
【技術分野】
【０００１】
本開示は、宅内監視システム及び通信制御方法に関する。
【背景技術】
【０００２】
近年、監視カメラと、固定電話網に接続されて他固定電話機と通信可能な固定電話機の親機と、親機との間で無線ルータを介して無線通信可能であって、携帯電話網（例えば３Ｇ、４Ｇ）を介して他携帯電話機と無線接続するスマートフォンと、を備えた監視カメラシステムが知られている（例えば特許文献１参照）。
【０００３】
特許文献１の監視カメラシステムでは、親機に無線ルータが登録されていない場合に、スマートフォンは、親機に対して所定操作を行うことを促す画面を表示し、親機からの信号を待ち受ける。親機は、所定操作によりスマートフォンと直接無線接続してスマートフォンに設定要求信号を送信する。スマートフォンは、設定要求信号を受信すると、無線ルータと無線接続して無線ルータからルータ設定情報を取得し、親機と無線接続して親機にルータ設定情報を送信する。親機は、ルータ設定情報に基づいて無線ルータの登録を行う。これにより、例えばスマートフォンに対して画像表示の指示操作があると、親機は、無線ルータを介してスマートフォンからの指示操作の情報を受信し、監視カメラから転送される画像データを、無線ルータを介してスマートフォンに送信できる。
【先行技術文献】
【特許文献】
【０００４】
【特許文献１】特許第５８４５４５３号公報
【発明の概要】
【発明が解決しようとする課題】
【０００５】
従来の監視カメラシステムでは、無線ルータが無ければ親機とスマートフォンとの間のデータの送受信ができず、使い勝手が不十分である。また、インターネットに接続可能な無線ルータの代わりに、仮にインターネットに接続不能なＡＰ（Access Point）として親機が動作する場合、スマートフォンが、親機との接続を継続することが困難となることが予想される。
【０００６】
本開示は、上記事情に鑑みてなされたものであり、無線ルータを介さなくても固定電話機の親機とスマートフォンとの通信に係るユーザの使い勝手を向上し、スマートフォンと親機との無線接続を継続できる宅内監視システム及び通信制御方法を提供する。
【課題を解決するための手段】
【０００７】
本開示の宅内監視システムは、宅内に設置される少なくとも１つの電気機器との間で無線通信可能であり、インターネットに接続されない親機と、前記親機との間で直接に無線通信可能である携帯電話端末と、を含む宅内監視システムであって、前記携帯電話端末は、アプリケーションを起動する際、インターネットに接続されないアクセスポイントに対する無線接続を無効とする接続無効フラグをオフに設定し、前記親機は、前記携帯電話端末と無線接続するための電波を出力し、前記携帯電話端末は、前記アプリケーションの実行を終了する際、前記アプリケーションを起動する際に前記接続無効フラグをオフに設定した場合には、前記接続無効フラグをオンに設定する。
【発明の効果】
【０００８】
本開示によれば、無線ルータを介さなくても固定電話機の親機とスマートフォンとの通信に係るユーザの使い勝手を向上し、スマートフォンと親機との無線接続を継続できる。
【図面の簡単な説明】
【０００９】
【図１】ソフトＡＰモードで親機とスマートフォンとが接続された状態の、各実施形態の宅内監視システムのシステム構成の一例を示す図
【図２】ルータ接続モードで親機とスマートフォンとが接続された状態の、各実施形態の宅内監視システムのシステム構成の一例を示す図
【図３】宅内監視システムにおける親機の内部構成の一例を示すブロック図
【図４】宅内監視システムにおけるコードレス子機の内部構成の一例を示すブロック図
【図５】宅内監視システムにおけるカメラの内部構成の一例を示すブロック図
【図６】宅内監視システムにおけるセンサの内部構成の一例を示すブロック図
【図７】宅内監視システムにおけるスマートフォンの内部構成の一例を示すブロック図
【図８】宅内監視システムにおけるスマートプラグの内部構成の一例を示すブロック図
【図９】宅内監視システムにおけるセンサーライトの内部構成の一例を示すブロック図
【図１０】スマートフォンによるアプリ起動時の動作例を示すフローチャート
【図１１】無線ＬＡＮの詳細設定画面の表示例を示す模式図
【図１２】セットアップ画面の表示例を示す模式図
【図１３】スマートフォンによるアプリ終了時の動作例を示すフローチャート
【図１４】宅内監視システムによるアプリ起動時の動作例を示すシーケンス図
【図１５】宅内監視システムによるアプリ終了時の動作例を示すシーケンス図
【図１６】アプリに係るホーム画面の表示例を示す模式図
【発明を実施するための形態】
【００１０】
以下、適宜図面を参照しながら、実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になることを避け、当業者の理解を容易にするためである。尚、添付図面及び以下の説明は、当業者が本開示を十分に理解するために提供されるものであり、これらにより特許請求の範囲に記載の主題を限定することは意図されていない。
【００１１】
（本開示の一形態を得るに至った経緯）
特許文献１では、親機に無線ルータが登録されていない場合、親機に無線ルータを登録するために、親機を無線ＬＡＮ（Local Area Network）のアクセスポイントとして一時的に使用することで、親機とスマートフォンとが直接に通信することが開示されている。
【００１２】
特許文献１の構成では、親機に無線ルータが実際に登録された後では、親機とスマートフォンとの間のデータ（例えば監視カメラからの画像データ）の送受信は無線ルータを介することが前提となっている。このため、監視カメラからの画像データが親機に転送された後、親機は無線ルータを介してスマートフォンに転送することはできるが、親機はスマートフォンと直接通信して転送することはできない。言い換えると、特許文献１の監視カメラシステムにおいて、親機に無線ルータが登録されると、その後の実運用では、無線ルータが無ければ親機とスマートフォンとの間のデータの送受信ができず、使い勝手が不十分である。
【００１３】
また、無線ルータは、通常、インターネット接続が可能となっている。仮に無線ルータを設けずに、無線ルータの代わりにインターネットに接続不能なＡＰ（Ａｃｃｅｓｓ  Ｐｏｉｎｔ）の機能を親機が有するとする。この場合、スマートフォンがこの親機と無線ＬＡＮ等で接続された場合、スマートフォンの設定や機能によっては、別のインターネット接続可能なＡＰや携帯回線の探索を開始することが予想される。よって、スマートフォンは、この親機との間で無線接続を継続することが困難となることが予想される。
【００１４】
以下、無線ルータを介さなくても固定電話機の親機とスマートフォンとの通信に係るユーザの使い勝手を向上し、スマートフォンと親機との接続を継続できる宅内監視システム及び通信制御方法について説明する。
【００１５】
以下の実施形態は、宅内監視システムに限定されず、宅内監視システムにおける親機とスマートフォンとの間の通信に関する通信制御方法として表現することも可能であり、また宅内監視システムに含まれる親機又はスマートフォンの装置カテゴリとして規定することもできる。
【００１６】
（用語の定義）
以下の各実施形態において、宅内監視システムを構成するスマートフォンが宅内監視システムを構成する固定電話機の親機との間で無線通信する際、無線ルータを介して親機と無線接続して無線通信する無線通信モードを「ルータ接続モード」という。同様に、スマートフォンが固定電話機の親機と無線通信する際、親機を無線ＬＡＮ（Local Area Network）のアクセスポイント（ＡＰ）として無線接続して無線通信する無線通信モードを「ソフトＡＰモード」という。ソフトＡＰモードは親機とスマートフォンとを直接に接続可能にできるので、直接接続モードとも言える。また、宅内監視システムが設置される宅内に居住する人物を、便宜的に「ユーザ」という。
【００１７】
なお、以下の各実施形態の宅内監視システムは、個人宅に設置されることに限定されず、例えばオフィス、工場、店舗等の営利施設や、市役所、図書館等の公共施設に設置されても構わない。これらの場合にはそれぞれの施設で勤務している人物のいずれかがユーザとなるであろう。
【００１８】
（第１の実施形態）
図１は、ソフトＡＰモードで親機１０とスマートフォン５０とが接続された状態の、宅内監視システム５のシステム構成の一例を示す図である。図２は、ルータ接続モードで親機１０とスマートフォン５０とが接続された状態の、宅内監視システム５のシステム構成の一例を示す図である。
【００１９】
図１に示す宅内監視システム５は、例えばユーザの宅内８に設置されており、固定電話機の親機１０と、２台のコードレス子機２０Ａ，２０Ｂと、２台のカメラ３０（例えば屋内カメラ３０Ａ，監視カメラ３０Ｂ）と、各種のセンサ４０（例えば人感センサ４０Ａ，４０Ｂ，煙センサ４０Ｃ，窓センサ４０Ｄ）と、スマートプラグ８０と、センサーライト９０と、スマートフォン５０とを少なくとも含む構成である。なお、この宅内監視システム５を構成する各種の電気機器は一例であり、種々の態様に変更可能である。例えば宅内監視システム５を構成する電気機器の中には、親機１０との間で無線通信（例えば後述するＤＥＣＴの無線通信方式を用いた無線通信）が可能な冷蔵庫、電子レンジ、エアーコンディショナ等のホームアプライアンス機器も含まれても構わない。
【００２０】
図２に示す宅内監視システム５は、図１に示す宅内監視システムの構成機器に加え、無線ルータ６０をさらに含む構成である。但し、図１に示す宅内監視システム５でも無線ルータ６０を有してもよく、ソフトＡＰモードでは無線ルータ６０が不要となるため、無線ルータ６０の図示が省略されているだけである。以下、宅内監視システム５の構成機器について、順次説明する。
【００２１】
親機１０は、宅内監視システム５の各種の構成機器との通信に関するゲートウェイとしての役割を有する。つまり、親機１０は、宅内監視システム５の全体の動作を制御する制御装置であり、例えばＤＥＣＴ（Digital Enhanced Cordless Telecommunications）の無線通信方式を用いて、コードレス子機２０Ａ，２０Ｂ、カメラ３０、センサ４０、スマートプラグ８０、センサーライト９０等と無線通信可能に無線接続される。
【００２２】
親機１０は、後述するソフトＡＰモードを用いるための初期設定が終わると、ソフトＡＰモードでは無線ＬＡＮのアクセスポイントとして動作するので、無線ルータ６０を介することなく、スマートフォン５０と直接に無線通信できる。但し、図１に示すように、ソフトＡＰモードでは親機１０はインターネット６５に接続できないため、スマートフォン５０は、ユーザが宅外（つまり、アクセスポイントとしての親機１０との間の無線通信圏外）にいる時には親機１０に接続できない。
【００２３】
また、親機１０は、後述するルータ接続モードを用いるための初期設定が終わると、ルータ接続モードでは無線ＬＡＮを利用する通信端末として動作するので、無線ＬＡＮを用いた無線ルータ６０（図２参照）を介して、外部のネットワーク（例えばインターネット６５）に接続でき、さらにスマートフォン５０と無線通信できる。
【００２４】
また、親機１０は、有線で固定電話網８５に接続され、コードレス子機２０Ａ，２０Ｂと他の固定電話機８００との間で通話を可能とするための仲介処理を行う。なお、親機１０は、他の固定電話機８００との間で直接に通話を行ってもよい。また、親機１０は、差込口１０ａに挿入されたコードレス子機２０Ａを充電する機能を有する。
【００２５】
コードレス子機２０Ａ，２０Ｂは、ＤＥＣＴの無線通信方式で親機１０と無線接続され、親機１０との間で無線通信（通話も含む）が可能である。以下、２台のコードレス子機２０Ａ，２０Ｂを区別する必要が無い場合、コードレス子機２０と総称する。
【００２６】
各種のセンサ４０（例えば人感センサ４０Ａ，４０Ｂ，煙センサ４０Ｃ，窓センサ４０Ｄ）は、ＤＥＣＴの無線通信方式で親機１０と無線接続される。図１及び図２では、センサとして、例えば窓の開閉を検出する窓センサ４０Ｄ、煙を感知する煙センサ４０Ｃ、赤外線によって人物を感知する人感センサ４０Ａ、４０Ｂが用いられる。以下、これらのセンサの種類を区別する必要が無い場合、センサ４０と総称する。また、後述するように、カメラ３０に内蔵された赤外線センサ３１３（図５参照）も、人感センサとして用いられる。
【００２７】
２台のカメラ（例えば屋内カメラ３０Ａ，監視カメラ３０Ｂ）は、通話機能を有し、ＤＥＣＴの無線通信方式で親機１０と無線接続され、コードレス子機２０Ａ，２０Ｂとの間で通話が可能である。図１及び図２では、カメラとして、屋外を撮像する監視カメラ３０Ｂ、宅内８を撮像する屋内カメラ３０Ａが用いられる。以下、カメラの種類を区別する必要が無い場合、カメラ３０と総称する。
【００２８】
スマートプラグ８０は、ＤＥＣＴを用いた無線通信機能を有し、ＤＥＣＴの無線通信方式で親機１０と無線接続される。スマートプラグ８０は、親機１０から送信される指示に従い、スマートプラグ８０自身に接続された各種の電気機器（例えばエアーコンディショナ、ホームアプライアンス機器、照明器具、カメラ３０、センサ４０）に電力を供給する商用交流電源又は直流電源の通電又は遮断を切り替える。スマートプラグ８０の詳細については後述する。
【００２９】
センサーライト９０は、監視エリア（例えばユーザの自宅の屋内、自宅の敷地内の庭、玄関）に居る人物の動きを検知し、夜間等で周囲が暗いと、点灯して監視エリアの周囲を照明する。なお、センサーライト９０の輝度は、監視エリアを明るく照明できる程度に高くてもよいし、警告灯として使える程度に低くてもよい。センサーライト９０は、ＤＥＣＴを用いた無線通信機能を有し、ＤＥＣＴの無線通信方式を用いて親機１０と無線接続される。センサーライト９０は、親機１０を介してスマートフォン５０からセンサーライト９０の動作条件を任意に設定可能である。センサーライト９０の詳細については後述する。
【００３０】
センサーライト９０は、ユーザの自宅の敷地内の防犯用途に限定されず、店舗、工場、オフィス等の事業所のうちいずれかにおける防犯用途として使用されてもよいことは言うまでもない。また、センサーライトは、防犯目的として使用されず、設置場所を行き来する人に対する使い勝手を向上するために使用されるものであっても構わない。
【００３１】
携帯電話端末としてのスマートフォン５０は、例えば３Ｇ（第３世代）、ＨＳＰＡ（High Speed Packet Access）、ＬＴＥ（Long Term Evolution）等の各種の無線通信方式を用いた携帯電話網７５を介して、他の携帯電話機７０や他のスマートフォン等（不図示）と無線接続して無線通信できる。
【００３２】
スマートフォン５０は、後述するソフトＡＰモードを用いるための初期設定が終わると、ソフトＡＰモードでは、無線ルータ６０を介することなく、無線ＬＡＮのアクセスポイントとしての親機１０と直接に無線通信できる。
【００３３】
また、スマートフォン５０は、後述するルータ接続モードを用いるための初期設定が終わると、ルータ接続モードでは、無線ＬＡＮを用いた無線ルータ６０（図２参照）を介して親機１０と無線接続して無線通信できる。
【００３４】
（宅内監視システム５の構成機器の内部構成）
図３は、宅内監視システム５における親機１０の内部構成の一例を示すブロック図である。親機１０は、制御部１０９と、記憶部１０３と、操作部１０５と、表示部１０６とを含む構成である。親機１０は、各種の入力操作を受け付け、表示部１０６に画像等の情報を表示する。また、親機１０は、後述する無線ＬＡＮの電波を出力するためにユーザに押下されるセットアップボタンを操作部１０５に有する。なお、親機１０は、表示部１０６の一例として、無線ＬＡＮの電波の出力状況を示すためのＬＥＤ（Light Emitting Diode）を有してもよい。
【００３５】
制御部１０９は、呼制御部１１０及び音声ストリーム処理部１１２を有し、通話の呼制御や音声データの処理等を行う。
【００３６】
また、制御部１０９は、ＳＳＩＤリスト保持部１０９ａをさらに有する。ＳＳＩＤリスト保持部１０９ａは、親機１０が無線ＬＡＮを用いた無線通信における無線ルータ６０（つまり、アクセスポイント）の識別情報としてのＳＳＩＤ（Service Set Identifier）を保持する。ＳＳＩＤリスト保持部１０９ａは、親機１０が認識している少なくとも１つのＳＳＩＤを保持している。つまり、図２では無線ルータ６０は１つであるが、複数あってもよく、この場合には複数の異なるＳＳＩＤがＳＳＩＤリスト保持部１０９ａにより保持されている。また、ＳＳＩＤリスト保持部１０９ａは、親機１０が無線ＬＡＮを用いた無線通信のアクセスポイントとなる場合の識別情報としてのＳＳＩＤを保持する。
【００３７】
なお、表示部１０６は、タッチパネルを用いて構成されてもよい。このタッチパネルに対応する表示部１０６は、ユーザ操作を受け付けて制御部１０９に出力するとともに、制御部１０９から渡された表示データを表示する。
【００３８】
また、親機１０は、画像メモリ制御部１１５と、画像メモリ１１６とを有し、カメラ３０で撮像されかつカメラ３０から転送された画像データ等を受信して画像メモリ１１６に記憶する。
【００３９】
また、親機１０は、無線ＬＡＮ制御部１２１と、無線ＬＡＮ通信Ｉ／Ｆ部１２２とを有し、無線ＬＡＮを用いて、無線ルータ６０を介して又は介さずに、スマートフォン５０やカメラ３０等と画像データ及び音声データを送受信する。
【００４０】
親機１０は、後述するソフトＡＰモードを用いるための初期設定が終わると、ソフトＡＰモードでは、親機１０自身が無線ＬＡＮのアクセスポイントとして動作し、スマートフォン５０との間で直接に無線通信を行い、例えばＤＥＣＴで無線接続しているカメラ３０から画像データが転送されると、画像データをスマートフォン５０に送信することができる。
【００４１】
親機１０は、後述するルータ接続モードを用いるための初期設定が終わると、ルータ接続モードでは、無線ＬＡＮを用いた無線ルータ６０を介して、スマートフォン５０との間で無線通信を行い、例えばＤＥＣＴで無線接続しているセンサ４０からセンサ検知結果データ（例えば侵入者を検知した旨の情報）が転送されると、センサ検知結果データをスマートフォン５０に送信することができる。
【００４２】
また、親機１０は、ＤＥＣＴプロトコル制御部１０８と、ＤＥＣＴ無線Ｉ／Ｆ部１０７とを有し、ＤＥＣＴ（Digital Enhanced Cordless Telecommunications）の無線通信方式を用いて、コードレス子機２０、センサ４０、カメラ３０、スマートプラグ８０及びセンサーライト９０との間でそれぞれ無線接続、無線通信を行う。
【００４３】
また、親機１０は、音声バス１１７と、音声入出力制御部１０４と、スピーカ１２９と、マイク１２８とを有し、外部に対して音声の入出力を行う。
【００４４】
また、親機１０は、固定電話回線Ｉ／Ｆ部１０１を有し、固定電話網８５に接続された外部の固定電話機８００と通信、通話が可能である。なお、上述したように、親機１０は、固定電話網８５に接続された外部の固定電話機８００とコードレス子機２０との間で通話が可能となるように通話時における音声データの各種処理を制御してもよい。
【００４５】
また、親機１０は、子機／携帯端末充電部１２６を有し、差込口１０ａに挿入されたコードレス子機２０或いはスマートフォン５０を充電する。
【００４６】
また、親機１０は、ＵＳＢ通信Ｉ／Ｆ部１２７を有し、ＵＳＢ（Universal Serial Bus）規格のインタフェースを有する機器やメモリ等とデータを送受信する。
【００４７】
また、親機１０は、各種のセンサ４０（例えば人感センサ４０Ａ，４０Ｂ，煙センサ４０Ｃ，窓センサ４０Ｄ）と複数のカメラ３０をそれぞれ関連付けて記憶部１０３に書き込んで登録する。例えば人感センサ４０Ｂと監視カメラ３０Ｂとは、屋外の近接した場所に設置されているので、関連付けて登録される。また、監視カメラ３０Ｂは、後述するように、人感センサである赤外線センサ３１３（図５参照）を一体として内蔵するので、赤外線センサ３１３とも関連付けて登録される。また、人感センサ４０Ａと、煙センサ４０Ｃと窓センサ４０Ｄとは、いずれも宅内８に設置されているので、屋内カメラ３０Ａとそれぞれ関連付けて登録される。
【００４８】
図４は、宅内監視システム５におけるコードレス子機２０の内部構成の一例を示すブロック図である。コードレス子機２０は、制御部２４７と、記憶部２４２と、操作部２４４と、表示部２４５とを含む構成である。コードレス子機２０は、各種の入力操作を受け付け、表示部２４５に画像等の情報を表示する。
【００４９】
また、コードレス子機２０は、ＤＥＣＴプロトコル制御部２４９と、ＤＥＣＴ無線Ｉ／Ｆ部２４８とを有し、ＤＥＣＴの無線通信方式を用いて親機１０、センサ４０及びカメラ３０との間でそれぞれの無線接続、無線通信を行う。
【００５０】
また、コードレス子機２０は、音声バス２５５と、音声入出力制御部２４３と、スピーカ２５２と、マイク２５１とを有し、外部（例えば外部の固定電話機８００）に対して音声の入出力を行って通話する。
【００５１】
また、コードレス子機２０は、２次電池２５０によりコードレス子機２０の各部への動作に必要な電力を供給する。
【００５２】
図５は、宅内監視システム５におけるカメラ３０の内部構成の一例を示すブロック図である。カメラ３０の一例としての屋内カメラ３０Ａ及び監視カメラ３０Ｂは、いずれもほぼ同じ仕様を有する。カメラ３０は、制御部３０９と、記憶部３０３と、操作部３０５とを含む構成である。カメラ３０は、撮像に関する動作を行うとともに、入力操作を受け付ける。
【００５３】
また、カメラ３０は、ＤＥＣＴプロトコル制御部３１７と、ＤＥＣＴ無線Ｉ／Ｆ部３１８とを有し、ＤＥＣＴの無線通信方式を用いて親機１０との間で無線接続、無線通信を行う。
【００５４】
また、カメラ３０は、無線ＬＡＮ制御部３２１と、無線ＬＡＮ通信Ｉ／Ｆ部３２２とを有し、無線ＬＡＮを用いて、無線ルータ６０を介して又は介さずに、親機１０、スマートフォン５０等と画像データ及び音声データを送受信する。
【００５５】
また、カメラ３０は、音声バス３０７と、音声入出力制御部３０４と、スピーカ３２９と、マイク３２８とを有し、外部（例えばコードレス子機２０）に対して音声の入出力を行って通話する。
【００５６】
また、カメラ３０は、撮像部３１２と、画像メモリ制御部３１６と、画像メモリ３１５とを有し、撮像部３１２で撮像された画像データを画像メモリ３１５に記憶する。撮像部３１２は、レンズ及び撮像素子（例えばＣＣＤ（Charge Coupled Device）、又はＣＭＯＳ（Complementary Metal Oxide Semiconductor）等のイメージセンサ）を有する。
【００５７】
カメラ３０は、人感センサとして、ＰＩＲ（Passive Infra Red）センサである赤外線センサ（焦電センサ）３１３を一体に内蔵する。赤外線センサ３１３は、人（人物）が発する熱（赤外線）の変化を検出して人の存在を感知する。カメラ３０は、例えば商用交流電源又は直流電源により構成される電源部３１４を有する。
【００５８】
図６は、宅内監視システム５におけるセンサ４０の内部構成の一例を示すブロック図である。センサ４０は、制御部４４７と、記憶部４４２と、表示ランプ４４５とを含む構成である。センサ４０は、何かしらのイベント（例えば侵入者、煙、窓の開閉）を検知した場合に、表示ランプ４４５を点灯する等、所定の検知動作を行う。
【００５９】
また、センサ４０は、ＤＥＣＴプロトコル制御部４４９と、ＤＥＣＴ無線Ｉ／Ｆ部４４８とを有し、ＤＥＣＴの無線通信方式を用いて親機１０と無線接続、無線通信を行い、上述したイベントを検知すると、センサ検知結果データを親機１０に送信する。
【００６０】
センサ部４５３は、センサ４０の種類によって異なる。例えば人感センサ４０Ａ，４０Ｂの場合、センサ部４５３は、赤外線の変化によって人を感知するＰＩＲセンサである。窓等の開閉を検出する窓センサ４０Ｄの場合、センサ部４５３は、開閉によってオン／オフに切り替わるリードスイッチである。煙センサ４０Ｃの場合、センサ部４５３は、発光した光が煙によって遮光されることで煙を感知する発光部及び受光部である。
【００６１】
充電池４５０は、充電可能な電池であり、センサ４０の各部に必要な電力を供給する。
【００６２】
図７は、宅内監視システム５におけるスマートフォン５０の内部構成の一例を示すブロック図である。スマートフォン５０は、制御部５０６と、記憶部５０４と、表示／操作部（例えばタッチパネルを用いて構成）５０３とを含む構成である。スマートフォン５０は、各種の入力操作を受け付け、表示／操作部５０３に画像等の情報を表示する。
【００６３】
制御部５０６は、カメラ３０やセンサーライト９０の各種の設定情報を設定可能な監視機能制御部５１４を内蔵する。表示／操作部５０３は、表示部及び操作部が一体化された表示入力部であり、画面に画像やアイコン等の情報を表示したり、センサーライト９０の設定情報の生成画面（不図示）、後述する無線ＬＡＮの詳細設定画面（図１１参照）、セットアップ画面（図１２参照）、を表示したりするとともに、使用者による画面へタップ操作（又はタッチ操作）を受け付ける。
【００６４】
また、制御部５０６は、スマホＯＳ処理部５０６ａと、スマホアプリ処理部５０６ｂと、ＳＳＩＤリスト保持部５０６ｃとを有する。
【００６５】
スマホＯＳ処理部５０６ａは、スマートフォン５０の基本ソフトウェアとしてのＯＳ（Operating System）を実行する。スマホＯＳ処理部５０６ａの動作の詳細については後述する。
【００６６】
スマホアプリ処理部５０６ｂは、表示／操作部５０３に対するユーザ操作により、スマートフォン５０にインストールされているアプリケーションの起動、終了、実行の指令が入力されると、そのアプリケーションを起動、終了、アプリケーション中における処理を実行する。スマホアプリ処理部５０６ｂの動作の詳細については後述する。
【００６７】
ＳＳＩＤリスト保持部５０６ｃは、スマートフォン５０がルータ接続モードにおける無線ルータ６０やソフトＡＰモードにおける親機１０（つまり、いずれもアクセスポイント）の識別情報としてのＳＳＩＤを保持する。ＳＳＩＤリスト保持部５０６ｃは、スマートフォン５０が認識している少なくとも１つのＳＳＩＤを保持している。つまり、図２では親機１０や無線ルータ６０はそれぞれ１つであるが、複数あってもよく、この場合には３つ以上の異なるＳＳＩＤがＳＳＩＤリスト保持部５０６ｃにより保持されている。
【００６８】
また、スマートフォン５０は、３Ｇ／４Ｇプロトコル制御部５０２と、３Ｇ／４Ｇ無線Ｉ／Ｆ部５０１とを有し、３Ｇ（第３世代）や４Ｇ（第４世代）の無線通信方式（例えばＨＳＰＡやＬＴＥも含まれる）を用いて、携帯電話網７５に接続された携帯電話機７０や他のスマートフォンと無線接続、無線通信を行う。
【００６９】
また、スマートフォン５０は、音声バス５１５と、音声入出力制御部５０５と、スピーカ５１３と、マイク５１２とを有し、外部に対して音声の入出力を行う。
【００７０】
また、スマートフォン５０は、無線ＬＡＮ制御部５０７と、無線ＬＡＮ通信Ｉ／Ｆ部５０８とを有し、無線ＬＡＮを用いて、無線ルータ６０を介して又は介さずに、親機１０、カメラ３０等と画像データ及び音声データを送受信する。
【００７１】
スマートフォン５０は、後述するソフトＡＰモードを用いるための初期設定が終わると、ソフトＡＰモードでは、親機１０との間で直接に無線通信を行い、例えば親機１０がＤＥＣＴで無線接続しているカメラ３０から転送された画像データを受信すると、親機１０から転送されたその画像データを受信することができる。また、スマートフォン５０は、表示／操作部５０３にユーザ操作が入力されると、ユーザ操作に応じた情報を、親機１０に対して直接送信することができる。
【００７２】
スマートフォン５０は、後述するルータ接続モードを用いるための初期設定が終わると、ルータ接続モードでは、無線ＬＡＮを用いた無線ルータ６０を介して、親機１０との間で無線通信を行い、例えば親機１０がＤＥＣＴで無線接続しているセンサ４０から転送されたセンサ検知結果データ（例えば侵入者を検知した旨の情報）を受信すると、親機１０から転送されたそのセンサ検知結果データを受信することができる。また、スマートフォン５０は、表示／操作部５０３にユーザ操作が入力されると、ユーザ操作に応じた情報を、無線ルータ６０を介して親機１０に対して送信することができる。
【００７３】
また、スマートフォン５０は、スマートフォン５０を操作するユーザの入力操作があると、その操作による信号を、無線ルータ６０を介して又は直接に親機１０に送信し、さらにその親機１０を介して、センサーライト９０、スマートプラグ８０等の設定情報を新規に作成したり、その設定情報を任意に変更したりすることが可能である。
【００７４】
また、スマートフォン５０は、ＵＳＢ通信Ｉ／Ｆ部５１１を有し、ＵＳＢ（Universal Serial Bus）規格のインタフェースを有する機器やメモリ等とデータを送受信する。
【００７５】
また、スマートフォン５０は、２次電池５５０によりスマートフォン５０の各部への動作に必要な電力を供給する。
【００７６】
図８は、宅内監視システム５におけるスマートプラグ８０の内部構成の一例を示すブロック図である。スマートプラグ８０は、制御部８４７と、記憶部８４２と、表示ランプを備えた表示部８４５とを少なくとも含む構成である。記憶部８４２には、例えばスマートプラグ８０が親機１０との間でＤＥＣＴを用いた無線通信を行うことで設定又は変更が可能なスマートプラグ８０のＯＮ／ＯＦＦ条件に関するスケジュール設定情報が登録される。
【００７７】
また、スマートプラグ８０は、ＤＥＣＴプロトコル制御部８４９、及びＤＥＣＴ無線Ｉ／Ｆ部８４８を有し、ＤＥＣＴの無線通信方式を用いて親機１０と無線接続、無線通信を行い、この無線接続を介して送信される信号（つまり、スマートフォン５０に対するユーザ操作に基づく親機１０からの切替制御信号）に従って、個々のスマートプラグ８０に接続される各電気機器（例えばエアーコンディショナ、ホームアプライアンス機器、照明器具、カメラ３０、センサ４０）へ商用交流電源又は直流電源の供給又は遮断を切り替える。
【００７８】
また、スマートプラグ８０は、スイッチ部８５０を有する。スイッチ部８５０は、例えば宅内８の配電盤（不図示）から接続された宅内８の各種の位置（例えばダイニングルーム、リビングルーム、ベッドルーム等の位置）に表出されたコンセント端子（不図示）に接続されるプラグ端子８５１と電気機器に接続されるコンセント端子８５２との間で、電源としての電力の供給線の接続又は遮断を行う。スイッチ部８５０は、例えばソレノイドコイル８５３によって駆動され、ソレノイドコイル８５３に交流電源からの駆動電流を流すことによってスイッチ部８５０を閉結し、プラグ端子８５１とコンセント端子８５２との間を導通させる。また、スイッチ部８５４は、制御部８４７の制御によってソレノイドコイル８５３に流す駆動電流をＯＮ／ＯＦＦさせる。
【００７９】
プラグ端子８５１とスイッチ部８５０との間には電流検出素子８５５が設けられ、プラグ端子８５１とコンセント端子８５２の間で電流が流れると、電流検出素子８５５が検知し、検知信号を制御部８４７へ出力する。制御部８４７は、例えば操作部８４１からの入力操作があると、電流検出素子８５５からの検知信号を受けた場合に電気機器への電力を供給している量（電力供給量）を表示部８４５に表示する。
【００８０】
制御部８４７は、例えばユーザ操作に基づくスマートフォン５０からの指示により親機１０からスマートプラグ８０の動作モードの指示信号がＤＥＣＴ無線Ｉ／Ｆ部８４８において受信された場合には、プラグ端子８５１とコンセント端子８５２との間を導通させるための切替制御信号をスイッチ部８５４に出力する。これにより、プラグ端子８５１とコンセント端子８５２との間が導通する。一方、制御部８４７は、例えばユーザ操作に基づくスマートフォン５０からの指示により親機１０からスマートプラグ８０の動作停止モードの指示信号がＤＥＣＴ無線Ｉ／Ｆ部８４８において受信された場合には、プラグ端子８５１とコンセント端子８５２との間を非導通させるための切替制御信号をスイッチ部８５４に出力する。これにより、プラグ端子８５１とコンセント端子８５２との間が非導通となる。
【００８１】
また、制御部８４７は、記憶部８４２に記憶されているスケジュール設定情報を参照し、スケジュール設定情報に含まれる動作モードの時間になると、プラグ端子８５１とコンセント端子８５２との間を導通させるための切替制御信号をスイッチ部８５４に出力する。これにより、プラグ端子８５１とコンセント端子８５２との間が導通する。なお、動作モードの時間中では、例えばユーザ操作に基づくスマートフォン５０からの指示により親機１０から送信された動作停止モードの指示信号がＤＥＣＴ無線Ｉ／Ｆ部８４８において受信されない限り、プラグ端子８５１とコンセント端子８５２との間の導通状態は維持される。
【００８２】
一方、制御部８４７は、記憶部８４２に記憶されているスケジュール設定情報を参照し、スケジュール設定情報に含まれる動作停止モードの時間になると、プラグ端子８５１とコンセント端子８５２との間を非導通させるための切替制御信号をスイッチ部８５４に出力する。これにより、プラグ端子８５１とコンセント端子８５２との間が非導通となる。なお、動作停止モードの時間中では、例えばユーザ操作に基づくスマートフォン５０からの指示により親機１０から送信された動作モードの指示信号がＤＥＣＴ無線Ｉ／Ｆ部８４８において受信されない限り、プラグ端子８５１とコンセント端子８５２との間の非導通状態は維持される。
【００８３】
図９は、宅内監視システム５におけるセンサーライト９０の内部構成の一例を示すブロック図である。センサーライト９０は、プロセッサ９０１と、ＤＥＣＴ無線Ｉ／Ｆ部９０２と、ＤＥＣＴプロトコル制御部９０３と、メモリ９０４と、照度センサ９０５と、動作センサ９０６と、ライト９０７と、電池９０８とを含む構成である。
【００８４】
プロセッサ９０１は、ＤＥＣＴ無線Ｉ／Ｆ部９０２及びＤＥＣＴプロトコル制御部９０３を介して、ＤＥＣＴの無線通信方式を用いて親機１０との間で無線接続、無線通信を行う。センサーライト９０は、親機１０との間で無線通信を行うことで、各種のカメラ３０、センサ４０、スマートフォン５０、スマートプラグ８０等の機器と接続可能である。
【００８５】
また、プロセッサ９０１は、点灯時間計測タイマ９０１ｚ、消灯遅延時間計測タイマ９０１ｙ及び点灯継続時間計測タイマ９０１ｘを内蔵する。
【００８６】
点灯時間計測タイマ９０１ｚは、ライト９０７の点灯時間を計測する。
【００８７】
消灯遅延時間計測タイマ９０１ｙは、消灯遅延時間を計測する。消灯遅延時間は、動作センサ９０６によって移動体（例えば人物）の動きが検知されなくなってからライト９０７を消灯させるまでの移動体の非検知状態の継続時間を示す。
【００８８】
点灯継続時間計測タイマ９０１ｘは、ライト９０７が点灯し始めてから点灯を継続している時間を示す点灯継続時間を計測する。点灯継続時間には、上限値が設けられている。この上限値は、センサーライト９０がバッテリ（つまり、電池９０８）駆動であることに鑑みて、ライト９０７が連続して点灯することが可能な点灯時間の最大値である。ライト９０７は、この上限値まで点灯した場合には、プロセッサ９０１により強制的に消灯させられることになる。なお、点灯時間計測タイマ９０１ｚにより計測された点灯時間を点灯継続時間として用いることもでき、この場合には、点灯継続時間計測タイマ９０１ｘはセンサーライト９０から省かれてもよい。
【００８９】
プロセッサ９０１は、点灯継続時間計測タイマ９０１ｘによって計測されるライト９０７の点灯継続時間の計測値が、メモリ９０４に記憶された点灯継続時間の設定値（つまり、上述した上限値）を超えると、消灯遅延時間の計測値の状況に拘わらず、ライト９０７を強制的に消灯させる。
【００９０】
また、プロセッサ９０１は、消灯遅延時間計測タイマ９０１ｙによって計測される消灯遅延時間の計測値と、メモリ９０４に記憶された消灯遅延時間の設定値とを比較し、この比較結果に応じて、ライト９０７の点灯／消灯を制御する。
【００９１】
プロセッサ９０１は、ライト９０７が消灯中に人感を検知した場合には、ライト９０７の点灯時間の計測を開始するとともに、ライト９０７の点灯を開始する。
【００９２】
プロセッサ９０１は、ライト９０７の点灯中に、消灯遅延時間の計測値が消灯遅延時間の設定値を超え、かつ、ライト９０７の点灯時間の計測値がライト９０７の点灯時間の設定値を超えたと判定した場合に、ライト９０７を消灯する。例えばライト９０７の点灯時間の設定値が３０秒、消灯遅延時間の設定値が５秒、ライト９０７の点灯時間の計測値が２５秒の時点で人感が検知されなくなった場合を考える。この場合、人感が検知されなくなってから５秒間人感の非検知状態が継続すれば、消灯遅延時間の計測値が消灯遅延時間の設定値（５秒）に達し、かつライト９０７の点灯時間の計測値がライト９０７の点灯時間の設定値（３０秒）に達するので、ライト９０７は消灯する。この例では、ライト９０７は計３０秒点灯していたことになる。
【００９３】
また、プロセッサ９０１は、センサーライト９０が電池９０８による駆動であるため、親機１０との間ではＤＥＣＴの無線通信方式を用いて通信可能ではあるが、親機１０との間で無線通信を行う必要がある時（例えば人感検知時や親機１０との間の定期通信時）を除けば、通信をスリープモード（つまり、通信を行っていないモード）に設定している。これにより、センサーライト９０は、親機１０との間で常時通信モードに設定する必要が無いので、消費電力の増大を抑制することが可能である。
【００９４】
消灯遅延時間の設定値は、例えば２通りの方法で設定可能である。第１の設定方法では、プロセッサ９０１は、消灯遅延時間テーブル（不図示）を予めメモリ９０４に記憶しておき、この消灯遅延時間テーブルを参照し、ライト９０７の点灯時間の設定値に対応する消灯遅延時間の設定値を読み出して取得する。
【００９５】
また、第２の設定方法では、プロセッサ９０１は、ライト９０７の点灯時間を計測し、この計測値の所定割合（例えば点灯時間の計測値の１０％）を計算し、この計算した値を消灯遅延時間の設定値として設定する。なお、この所定割合は、１０％に限らず、５％，２０％等、任意の値に設定可能である。
【００９６】
また、消灯遅延時間の設定値は、スマートフォン５０を操作するユーザの設定入力により、親機１０を介してセンサーライト９０に設定されてもよい。例えばスマートフォン５０を操作するユーザの設定操作により入力された消灯遅延時間の設定値の情報がスマートフォン５０から親機１０に対して送信されると、消灯遅延時間の設定値の情報が親機１０において受信される。その後、親機１０は、センサーライト９０に消灯遅延時間の設定値の情報を送信する。センサーライト９０は、消灯遅延時間の設定値の情報を受信すると、メモリ９０４に書き込むことで設定を完了することができる。
【００９７】
また、例えばライト９０７の点灯時間の設定値が２０秒であったが点灯していた点灯時間の計測値が７０秒を経過した時に、ようやく人物の動きが検知されなくなり、その後消灯遅延時間の間に非検知状態が継続した場合を想定する。この場合、第１の設定方法では、消灯遅延時間テーブル（不図示）を参照すると、消灯遅延時間の設定値は５秒である。一方、第２の設定方法では、人物の動きが検知されなくなるまでの点灯時間の計測値の１０％として、消灯遅延時間の設定値は７秒である。従って、第１の設定方法ではライト９０７は合計７５秒間点灯し、一方、第２の設定方法ではライト９０７は合計７７秒間点灯する。つまり、第１の設定方法で消灯遅延時間の設定値が設定される場合、第２の設定方法で設定される場合に比べて、ライト９０７が点灯する時間は２秒縮まり、バッテリ駆動のセンサーライト９０にとっては消費電力が低減する点で好ましい。一方で、第２の設定方法で設定される場合には、第１の設定方法で設定される場合に比べて２秒間長くライト９０７が点灯するので、人物の動きが検知されなくなったとしてもライト９０７の点灯時間を一定程度確保する観点ではより好ましいといえる。
【００９８】
また、例えばライト９０７の点灯時間の設定値が２０秒であったが点灯していた点灯時間の計測値が２０秒を経過した時に、ようやく人の動きが検知されなくなり、その後消灯遅延時間の間に非検知状態が継続した場合を想定する。この場合、第１の設定方法では、消灯遅延時間テーブル（不図示）を参照すると、消灯遅延時間の設定値は５秒である。一方、第２の設定方法では、点灯時間の計測値の１０％として、消灯遅延時間の設定値は２秒である。従って、第１の設定方法ではライト９０７は合計２５秒間点灯し、一方、第２の設定方法ではライト９０７は合計２２秒間点灯する。つまり、第１の設定方法と第２の設定方法のいずれで消灯遅延時間の設定値を設定すれば良いかは、人の動きが検知されなくなった時点までのライト９０７の点灯時間の計測値の長短に依存する。なお、第１の設定方法と第２の設定方法とのうちいずれかの設定方法により、消灯遅延時間の設定値が設定される。
【００９９】
消灯遅延時間を設定する方法として、第１の設定方法／第２の設定方法は、センサーライト９０に内蔵された操作スイッチ（図示せず）、或いは親機１０を介してスマートフォン５０によって選択可能である。
【０１００】
ライト９０７は、例えば光源である白色ＬＥＤと、この白色ＬＥＤから投射される光を前方に反射するリフレクタとで構成される。なお、光源としては、白色ＬＥＤに限らず、白色以外のカラーＬＥＤ、白熱灯、蛍光灯、ハロゲンランプ、キセノンランプ等であってもよい。本実施形態では、消費電力が少なく、かつ、自然光に近い白色ＬＥＤを用いる。
【０１０１】
メモリ９０４は、プロセッサ９０１が実行する制御プログラムや各種データを記憶する。各種データには、設定情報テーブル（不図示）、消灯遅延時間テーブル（不図示）等が含まれる。
【０１０２】
センサの一例としての照度センサ９０５は、周囲の明るさを感知するものであり、人間の眼が感じる光の波長に近い波長の領域の光を感知する、つまり人間の眼に近い分光感度特性を有するフォトダイオードである。なお、照度センサ９０５には、イメージセンサを用いてもよく、この場合、イメージセンサの各画素の輝度値から照度を得るとともに、全画素の輝度値から画像を取得することも可能である。
【０１０３】
センサの一例としての動作センサ９０６は、ＬＥＤ及びフォトダイオードを有し、監視エリアに向けてＬＥＤから近赤外光を照射し、フォトダイオードでその反射光を受光し、反射光の変化に基づき、人物の動きを検知する。なお、ここでは、移動体の一例として、人物の動きを検知していたが、人物に限らず、犬、猫等の動物や、小型若しくは大型の車両やロボット等の構造物の動きを検知してもよい。また、ここでは、近赤外光を照射したが、可視光、紫外光等を照射し、その反射光の変化から、移動体の動きを検知してもよい。また、光を照射する代わりに、超音波を照射し、その反射波から移動体の動きを検知してもよい。また、動作センサ９０６は、移動体の動きを検知していたが、動きが極端に小さいと予想される移動体の場合には、移動体が動かなくてもその存在を検知できるものであってもよい。例えば動作センサ９０６として、人体が発する赤外光を感知する、人感センサとして、ＰＩＲ（Passive Infra Red）センサである赤外線センサ（焦電センサ）を用いてもよい。焦電センサを用いた場合、ＬＥＤのように発光しないので、省電力化が図られる。
【０１０４】
電池９０８は、センサーライト９０の電源として用いられる、例えば４本の単１乾電池である。なお、電池としては、マンガン乾電池、アルカリ乾電池等の一次電池だけでなく、ニッケル水素バッテリ、リチウムイオン電池、鉛バッテリ等の充電可能な二次電池を用いてもよい。また、本実施形態では、センサーライト９０の電源として、電池を用いたが、電池の代わりに、商用交流電源に接続され、商用交流を変換して所定の電圧を出力する電源装置を内蔵してもよい。
【０１０５】
（宅内監視システム５の動作）
次に、宅内監視システム５の動作について説明する。
【０１０６】
以下、親機を便宜的に「ＨＵＢ」と表記し、さらにスマートフォンを便宜的に「スマホ」と表記する場合がある。また、スマートフォン５０のスマホＯＳ処理部５０６ａを「スマホＯＳ」又は単に「ＯＳ」と表記し、さらにスマートフォン５０のスマホアプリ処理部５０６ｂを「スマホアプリ」と表記する場合がある。
【０１０７】
図１０及び図１３では、例えば、インターネットに接続されないＡＰとしての親機１０でも、スマートフォン５０が、無線ＬＡＮの接続先として選択可能となることを考慮している。また、図１４及び図１５では、例えば、スマートフォン５０がインターネットに接続されないＡＰとしての親機１０に接続される期間を考慮している。
【０１０８】
図１０は、スマートフォン５０によるアプリ起動時の動作例を示すフローチャートである。このアプリは、例えば、宅内監視システム５の各機器が連動して宅内監視するためのホームネットワークアプリケーションである。
【０１０９】
まず、スマホアプリ処理部５０６ｂは、各種モードで動作する宅内監視システム５の初期設定が完了しているか否かを判定する（Ｓ１１）。この初期設定は、ソフトＡＰモードを用いるための初期設定、又はルータ接続モードを用いるための初期設定を含む。この初期設定は、例えば、ソフトＡＰモード又はルータ接続モードで親機１０とスマートフォン５０とが無線接続するための無線設定情報（例えば、ＳＳＩＤ、パスワードを含む）の設定を含む。初期設定の結果、親機１０及びスマートフォン５０は、無線設定情報を共有して保持し、無線接続可能な状態となる。
【０１１０】
初期設定が完了していない場合、スマホアプリ処理部５０６ｂは、初期設定を実行する（Ｓ１２）。Ｓ１２の処理により、親機１０及びスマートフォン５０は、ソフトＡＰモード又はルータ接続モードでの無線接続及び無線通信が可能となる。
【０１１１】
スマホアプリ処理部５０６ｂは、アプリが採用する接続モードがソフトＡＰモードであるか又はルータ接続モードであるかを判定する（Ｓ１３）。この接続モードは、例えば初期設定により決定され、この設定情報が記憶部５４０に保持されている。
【０１１２】
アプリが採用する接続モードがソフトＡＰモードである場合、スマホアプリ処理部５０６ｂは、接続無効フラグがＯＮに設定されているか否かを判定する（Ｓ１４）。接続無効フラグは、インターネット接続が安定している無線ＬＡＮのみ利用するためのフラグである。
【０１１３】
図１１は、接続無効フラグに係る設定を含む無線ＬＡＮの詳細設定画面Ｇ１１の表示例を示す模式図である。図１１では、接続無効フラグは、「接続不良のとき無効にする」の項目により示されている。つまり、「接続不良のとき無効にする」の項目のチェックボックスにチェックマークがある場合、接続無効フラグがＯＮに設定されていることを示し、このチェックボックスにチェックマークがない場合、接続無効フラグがＯＦＦに設定されていることを示す。尚、「接続不良のとき無効にする」の項目の名称は、スマートフォン５０のＯＳや機種により異なる場合がある。
【０１１４】
接続無効フラグがＯＮに設定されている場合、スマホアプリ処理部５０６ｂは、接続無効フラグをＯＦＦに設定する（Ｓ１５）。
【０１１５】
また、スマホアプリ処理部５０６ｂは、設定変更フラグをＯＮに設定する（Ｓ１６）。設定変更フラグは、接続無効フラグの設定をＯＮからＯＦＦに変更したか否かを示すフラグである。設定変更フラグがＯＮの場合には、接続無効フラグの設定がＯＮからＯＦＦに変更されていることを示す。
【０１１６】
一方、Ｓ１４で、接続無効フラグがＯＦＦに設定されている場合、スマホアプリ処理部５０６ｂは、設定変更フラグをＯＦＦに設定する（Ｓ１７）。設定変更フラグがＯＦＦの場合には、接続無効フラグの設定がＯＮからＯＦＦに変更されていないこと、つまり接続無効フラグの設定がＯＦＦであることを示す。尚、既に設定変更フラグがＯＦＦに設定されている場合には、スマホアプリ処理部５０６ｂは、この設定を維持する。
【０１１７】
スマホアプリ処理部５０６ｂは、親機１０の操作を促す画面（セットアップ画面Ｇ１２）を表示する（Ｓ１８）。具体的には、スマホアプリ処理部５０６ｂは、親機１０の無線ＬＡＮ（ＷＬＡＮ）の電波の出力を開始するためのセットアップボタンの押下を指示する旨の情報を、表示部１０６に表示させる。
【０１１８】
図１２は、セットアップ画面Ｇ１２の表示例を示す模式図である。セットアップ画面Ｇ１２において、親機１０のセットアップボタンが押下されると、親機１０は、スマートフォン５０との間で無線ＬＡＮ通信するための電波の出力を開始する。
【０１１９】
尚、スマートフォン５０では、スマホＯＳ処理部５０６ａは、親機１０が出力する電波を検出した場合、無線ＬＡＮの接続先を親機１０に切り換える。
【０１２０】
スマホアプリ処理部５０６ｂは、スマホＯＳ処理部５０６ａが、親機１０が出力する電波を検出し、スマートフォン５０が無線接続する無線ＬＡＮの接続を親機１０に切り換えたか否かを判定する（Ｓ１９）。
【０１２１】
スマホＯＳ処理部５０６ａが無線ＬＡＮの接続を親機１０に切り換えたと判定された場合、スマホアプリ処理部５０６ｂは、図１０の処理（アプリの起動処理）を終了する。スマホＯＳ処理部５０６ａが無線ＬＡＮの接続を親機１０に切り換えたと判定されなかった場合、スマートフォン５０の無線ＬＡＮ接続の切り換えが行われるまで、スマホアプリ処理部５０６ｂは、Ｓ１９の処理を反復する。
【０１２２】
一方、Ｓ１３において、アプリが採用する接続モードがルータ接続モードである場合、スマホアプリ処理部５０６ｂは、設定変更フラグをＯＦＦに設定する（Ｓ２０）。Ｓ２０の処理後、スマホアプリ処理部５０６ｂは、図１０の処理（アプリの起動処理）を終了する。
【０１２３】
図１０に示したアプリの起動処理によれば、スマートフォン５０は、無線ＬＡＮの設定項目の１つである接続無効フラグをＯＦＦに設定することで、インターネットに接続不能なＡＰとしての親機１０であっても、無線ＬＡＮ接続のＡＰとして親機１０を選択でき、この無線ＬＡＮ接続を維持できる。よって、スマートフォン５０は、ホームネットワークアプリケーションを実行して宅内監視できる。
【０１２４】
図１３は、スマートフォン５０によるアプリ終了時の動作例を示すフローチャートである。
【０１２５】
まず、操作部１０５がアプリ終了操作を受け付けると、スマホアプリ処理部５０６ｂは、無線ＬＡＮ通信Ｉ／Ｆ部１２２を介して、親機１０に対し、スマートフォン５０との間で無線ＬＡＮ通信するための電波の出力を停止するよう指示を送信する（Ｓ２１）。
【０１２６】
Ｓ２１の処理により、スマホＯＳ処理部５０６ａは、親機１０の電波を検出しなくなり、他の無線ＬＡＮのネットワークや携帯回線に無線接続先を切り換える。
【０１２７】
スマホアプリ処理部５０６ｂは、設定変更フラグがＯＮに設定されているか否かを判定する（Ｓ２２）。
【０１２８】
設定変更フラグがＯＮに設定されている場合、スマホアプリ処理部５０６ｂは、接続無効フラグをＯＮに設定する（Ｓ２３）。つまり、接続無効フラグをＯＦＦからＯＮに戻す。また、スマホアプリ処理部５０６ｂは、設定変更フラグをＯＦＦに設定する（Ｓ２４）。つまり、設定変更フラグをＯＮからＯＦＦに戻す。
【０１２９】
図１３に示したアプリ終了処理によれば、スマートフォン５０は、親機１０との無線接続の終了後に、接続無効フラグをＯＮに設定することで、他のインターネット接続不能なＡＰに対して無線接続することを抑制できる。よって、スマートフォン５０は、ホームネットワークアプリケーションを実行することで宅内監視でき、アプリ終了後に他のインターネット接続可能なＡＰに対して無線接続でき、インターネットに接続可能になり、各種処理（例えばブラウザの閲覧）が可能となる。
【０１３０】
図１４は、宅内監視システム５によるアプリ起動時の動作例を示すシーケンス図である。尚、図１４の初期状態として、親機１０及びスマホＯＳは起動済みであることを想定する。
【０１３１】
まず、スマートフォン５０では、表示／操作部５０３を介したユーザのアプリ起動操作を受け付けると、スマホアプリ処理部５０６ｂは、アプリ起動する（Ｓ３１）。
【０１３２】
Ｓ３１の処理後、スマホアプリ処理部５０６ｂは、図１０のＳ１１〜Ｓ１７の処理を行う。つまり、スマホアプリ処理部５０６ｂは、初期設定や接続モードの判定に係る処理（Ｓ１１〜Ｓ１３）を行う。また、スマホアプリ処理部５０６ｂは、接続モードがソフトＡＰモードである場合には、接続無効フラグの設定や設定変更フラグの設定に係る処理を行う（Ｓ１４〜Ｓ１７）。
【０１３３】
図１０のＳ１１〜Ｓ１７の処理後、スマホアプリ処理部５０６ｂは、セットアップ画面Ｇ１２を表示する（Ｓ３２）。具体的には、スマホアプリ処理部５０６ｂは、親機１０のセットアップボタンの押下を指示する旨の情報を、表示部１０６に表示させる。この表示は、ユーザに確認される。
【０１３４】
親機１０では、操作部１０５は、ユーザによるセットアップボタンの押下を受け付ける（Ｓ３３）。
【０１３５】
セットアップボタンが押下されると、無線ＬＡＮ通信Ｉ／Ｆ部１２２は、スマートフォン５０との間で無線ＬＡＮ通信するための電波の出力を開始する（Ｓ３４）。
【０１３６】
スマートフォン５０では、スマホＯＳ処理部５０６ａは、親機１０が出力する電波を検出すると、無線ＬＡＮの接続先を親機１０に切り換える（Ｓ３５）。
【０１３７】
スマホアプリ処理部５０６ｂは、スマホＯＳが無線ＬＡＮ接続を親機１０に切り換えたことを検知すると、アプリに係る通常の操作画面（例えばホーム画面（図１６参照））を表示する（Ｓ３６）。
【０１３８】
図１４に示したアプリ起動時の宅内監視システム５の動作によれば、親機１０は、アプリ起動に伴うセットアップボタンの押下指示を受けてから、無線ＬＡＮ用の電波の出力を開始する。そのため、スマートフォン５０は、アプリ起動前に不要に親機１０に無線ＬＡＮ接続すること抑制できる。スマートフォン５０は、親機１０への無線ＬＡＮ接続を抑制することで、インターネットに接続不能な状態となることを抑制できる。よって、インターネットを利用した各種処理（例えばブラウザの閲覧）を実施できる。
【０１３９】
図１５は、宅内監視システム５によるアプリ終了時（動作中のアプリの終了時）の動作例を示すシーケンス図である。
【０１４０】
まず、スマートフォン５０では、表示／操作部５０３によりユーザからアプリ終了操作を受け付ける（Ｓ４１）。
【０１４１】
スマホアプリ処理部５０６ｂは、アプリ終了操作に応じて、無線ＬＡＮの電波出力停止指示を親機１０へ送る（Ｓ４２）。つまり、スマホアプリ処理部５０６ｂは、無線ＬＡＮ通信Ｉ／Ｆ部１２２を介して、親機１０に対し、スマートフォン５０との間で無線ＬＡＮ通信するための電波の出力を停止するよう指示する。
【０１４２】
スマホアプリ処理部５０６ｂは、親機１０への電波出力停止指示を行った後、アプリの実行を終了する（Ｓ４３）。
【０１４３】
尚、Ｓ４３には、図１３のＳ２２〜Ｓ２４の処理を含む。つまり、スマホアプリ処理部５０６ｂは、設定変更フラグがＯＮに設定されているか否かを判定する（Ｓ２２）。設定変更フラグがＯＮに設定されている場合、スマホアプリ処理部５０６ｂは、接続無効フラグをＯＮに設定する（Ｓ２３）。つまり、接続無効フラグをＯＦＦからＯＮに戻す。また、スマホアプリ処理部５０６ｂは、設定変更フラグをＯＦＦに設定する（Ｓ２４）。つまり、設定変更フラグをＯＮからＯＦＦに戻す。
【０１４４】
親機１０では、無線ＬＡＮ通信Ｉ／Ｆ部１２２は、スマートフォン５０から電波出力停止指示を受信し、スマートフォン５０との間で無線ＬＡＮ通信するための電波の出力を停止する（Ｓ４４）。
【０１４５】
スマートフォン５０では、スマホＯＳ処理部５０６ａは、親機１０の電波の出力停止を検出すると、無線ＬＡＮの接続先を親機１０の電波以外の他の電波に切り換える（Ｓ４５）。
【０１４６】
図１５に示したアプリ終了時の宅内監視システム５の動作によれば、スマートフォン５０は、アプリ終了に伴って無線ＬＡＮの電波出力が停止されたことを検出した場合、無線ＬＡＮの接続先を切り換える。そのため、スマートフォン５０は、アプリ実行終了後に不要に親機１０に無線ＬＡＮ接続された状態を維持することを抑制できる。よって、スマートフォン５０は、インターネットに接続不能な状態となることを抑制でき、インターネットを利用した各種処理（例えばブラウザの閲覧）を実施できる。
【０１４７】
このように、宅内監視システム５は、宅内に設置される少なくとも１つの電気機器との間で無線通信可能であり、インターネット６５に接続されない親機１０と、親機１０との間で直接に無線通信可能であるスマートフォン５０と、を含む。スマートフォン５０は、アプリケーションを起動する場合、インターネット６５に接続されないアクセスポイントに対する無線接続を無効とする接続無効フラグをオフに設定する。親機１０は、スマートフォン５０と無線接続するための電波を出力する。
【０１４８】
これにより、宅内監視システム５は、インターネットに接続されないＡＰとしての親機１０であっても、接続無効フラグがオフにされることで、親機１０への無線接続を維持できる。よって、宅内監視システム５は、別のインターネット接続可能なＡＰや携帯回線の探索を開始することを抑制でき、無線ＬＡＮ接続のＡＰとして親機１０を選択でき、この無線ＬＡＮ接続を維持できる。よって、スマートフォン５０は、アプリケーション（例えばホームネットアプリケーション）を実行して宅内監視できる。
【０１４９】
また、スマートフォン５０は、アプリケーションの実行を終了する場合、電波の出力の停止指示を親機１０へ送信した後、接続無効フラグをオンに設定してもよい。
【０１５０】
これにより、宅内監視システム５は、インターネットに接続されないアクセスポイントへの無線接続を無効（禁止）にできる。よって、アプリ実行時には親機１０を用いてアプリに係る機能を実現でき、アプリ終了後には、インターネットに接続可能なアクセスポイントが選択されることで、インターネット接続が可能になる。
【０１５１】
また、スマートフォン５０は、接続無効フラグをオフにした後、親機１０の電波の出力を開始するための第１の操作を促す画面を表示してもよい。親機１０は、第１の操作を受け付け、スマートフォン５０と無線接続するための電波の出力を開始してもよい。スマートフォン５０は、親機１０が出力する電波を検出し、無線接続先を親機１０に切り換えてもよい。
【０１５２】
これにより、親機１０は、接続無効フラグがオフに設定されてから電波の出力を開始できる。よって、スマートフォン５０は、親機１０の電波を検出した場合、インターネットに接続されない親機１０との間で無線接続できる。
【０１５３】
また、スマートフォン５０は、電波の出力の停止指示を親機へ送信した後、接続無効フラグをオンにしてもよい。親機１０は、電波の出力の停止指示を受信し、電波の出力を停止してもよい。スマートフォン５０は、電波の出力の停止を検出後、無線接続先を他の通信装置に切り換えてもよい。
【０１５４】
これにより、スマートフォン５０は、接続無効フラグがオンに設定されてから、親機１０の電波の出力停止を検出できる。よって、スマートフォン５０は、インターネットに接続可能なアクセスポイントに無線接続先を切り換えでき、インターネット接続が可能になる。
【０１５５】
また、スマートフォン５０は、親機１０との間で無線ルータ６０を介して無線通信可能であってもよい。スマートフォン５０と親機１０とが無線接続するための接続モードは、親機１０との間で直接に無線通信する第１の接続モードと、親機１０との間で無線ルータ６０を介して無線通信する第２の接続モードと、を含んでもよい。スマートフォン５０は、接続モードが第１の接続モードである場合、接続無効フラグをオフに設定してもよい。
【０１５６】
これにより、スマートフォン５０は、接続モードが複数存在する場合には、インターネットに接続されない接続モード（ここでは第１の接続モード）によって無線通信される場合に、接続無効フラグをオフにしてもよい。これにより、接続無効フラグを接続モードに応じて異なるように設定できる。
【０１５７】
以上のように、本開示における技術の例示として、第１の実施形態を説明した。しかし、本開示における技術は、これに限定されず、変更、置き換え、付加、省略などを行った実施形態にも適用できる。
【０１５８】
第１の実施形態では、宅内監視システム５は、図１０及び図１４に示したアプリ起動時の動作を組み合わせて行ってもよいし、別々に行ってもよい。また、宅内監視システム５は、図１３及び図１５に示したアプリ終了時の動作を組み合わせて行ってもよいし、別々に行ってもよい。
【０１５９】
第１の実施形態では、図１０の動作において、スマートフォン５０が、接続無効フラグがオフにされる前から、親機１０により無線ＬＡＮの電波を出力してもよい。また、図１３の動作において、スマートフォン５０が接続無効フラグをオンにした後でも、親機１０により無線ＬＡＮの電波を出力してもよい。この場合でも、スマートフォン５０は、接続無効フラグのオンオフの切り換えにより、適切なタイミングでインターネットに接続されない親機１０の電波を用いた無線ＬＡＮ通信を実現でき、アプリケーションを実行できる。
【産業上の利用可能性】
【０１６０】
本開示は、無線ルータを介さなくても固定電話機の親機とスマートフォンとの通信に係るユーザの使い勝手を向上し、スマートフォンと親機との無線接続を継続できる宅内監視システム及び通信制御方法等に有用である。
【符号の説明】
【０１６１】
５  宅内監視システム
８  宅内
１０  親機（ＨＵＢ）
２０、２０Ａ、２０Ｂ  コードレス子機
３０  カメラ
３０Ａ  屋内カメラ
３０Ｂ  監視カメラ
４０  センサ
４０Ａ、４０Ｂ  人感センサ
４０Ｃ  煙センサ
４０Ｄ  窓センサ
５０  スマートフォン
６０  無線ルータ
７０  携帯電話機
７５  携帯電話網
８０  スマートプラグ
８５  固定電話網
９０  センサーライト
１０１  固定電話回線Ｉ／Ｆ部
１０３、２４２、３０３、４４２、５０４、８４２  記憶部
１０４、２４３、３０４、５０５  音声入出力制御部
１０５、２４４、３０５、８４１  操作部
１０６、２４５、８４５  表示部
１０７、２４８、３１８、４４８、８４８、９０２  ＤＥＣＴ無線Ｉ／Ｆ部
１０８、２４９、３１７、４４９、８４９、９０３  ＤＥＣＴプロトコル制御部
１０９、２４７、３０９、４４７、５０６、８４７  制御部
１０９ａ、５０６ｃ  ＳＳＩＤリスト保持部
１１０  呼制御部
１１２  音声ストリーム処理部
１１５、３１６  画像メモリ制御部
１１６、３１５  画像メモリ
１１７、２５５、３０７、５１５  音声バス
１２１、３２１、５０７  無線ＬＡＮ制御部
１２２、３２２、５０８  無線ＬＡＮ通信Ｉ／Ｆ部
１２６  子機／携帯端末充電部
１２７  ＵＳＢ通信Ｉ／Ｆ部
１２８、２５１、３２８、５１２  マイク
１２９、２５２、３２９、５１３  スピーカ
２５０、５５０  ２次電池
３１２  撮像部
３１３  赤外線センサ
３１４  電源部
４４５  表示ランプ
４５０  充電池
４５３  センサ部
５０１  ３Ｇ／４Ｇ無線Ｉ／Ｆ部
５０２  ３Ｇ／４Ｇプロトコル制御部
５０３  表示／操作部（タッチパネル）
５０６ａ  スマホＯＳ処理部
５０６ｂ  スマホアプリ処理部
５１１  ＵＳＢ通信Ｉ／Ｆ部
５１４  監視機能制御部
８００  固定電話機
８５１  プラグ端子
８５２  コンセント端子
８５３  ソレノイドコイル
８５０、８５４  スイッチ部
８５５  電流検出素子
９０１  プロセッサ
９０１ｘ  点灯継続時間計測タイマ
９０１ｙ  消灯遅延時間計測タイマ
９０１ｚ  点灯時間計測タイマ
９０４  メモリ
９０５  照度センサ
９０６  動作センサ
９０７  ライト
９０８  電池
【図１】
0006731614.tif 000002
【図２】
0006731614.tif 000003
【図３】
0006731614.tif 000004
【図４】
0006731614.tif 000005
【図５】
0006731614.tif 000006
【図６】
0006731614.tif 000007
【図７】
0006731614.tif 000008
【図８】
0006731614.tif 000009
【図９】
0006731614.tif 000010
【図１０】
0006731614.tif 000011
【図１１】
0006731614.tif 000012
【図１２】
0006731614.tif 000013
【図１３】
0006731614.tif 000014
【図１４】
0006731614.tif 000015
【図１５】
0006731614.tif 000016
【図１６】
0006731614.tif 000017